(57)【要約】【課題】極めて快適に岩盤浴を行える実用性に秀れた岩盤浴装置及び岩盤浴システムを提供する。【解決手段】加温した際、遠赤外線放射作用を発揮する部位が設けられた岩盤浴装置であって、前記部位は、ゼオライト材１を有するゼオライト部２と、該ゼオライト部２を加温する加温部３とから成るもの。【選択図】図１
2007319404.tif 000002
【特許請求の範囲】
【請求項１】
加温した際、遠赤外線放射作用を発揮する部位が設けられた岩盤浴装置であって、前記部位は、ゼオライト材を有するゼオライト部と、該ゼオライト部を加温する加温部とから成ることを特徴とする岩盤浴装置。
【請求項２】
請求項１記載の岩盤浴装置において、前記加温部は、前記ゼオライト部の裏面に添設されるものであることを特徴とする岩盤浴装置。
【請求項３】
請求項１，２いずれか１項に記載の岩盤浴装置において、前記ゼオライト材として板状のものが採用されていることを特徴とする岩盤浴装置。
【請求項４】
請求項１，２いずれか１項に記載の岩盤浴装置において、前記ゼオライト材として球状のものが採用されていることを特徴とする岩盤浴装置。
【請求項５】
請求項１〜４いずれか１項に記載の岩盤浴装置において、前記ゼオライト材は、未焼成のゼオライト原石から成るものであることを特徴とする岩盤浴装置。
【請求項６】
請求項１〜４いずれか１項に記載の岩盤浴装置において、前記ゼオライト材は、ゼオライト原石若しくはゼオライト粉末を８５０℃以下の温度で焼成して成るものであることを特徴とする岩盤浴装置。
【請求項７】
請求項６記載の岩盤浴装置において、前記ゼオライト材は、ゼオライトに、銀，銅，亜鉛若しくは錫のうちの１種若しくは複数種のイオンが担持されているものであることを特徴とする岩盤浴装置。
【請求項８】
請求項１〜４いずれか１項に記載の岩盤浴装置において、前記ゼオライト材は、ゼオライト原石若しくはゼオライト粉末を１０００℃以上の温度で焼成して成るものであることを特徴とする岩盤浴装置。
【請求項９】
請求項１〜８いずれか１項に記載の岩盤浴装置において、前記ゼオライト部は、前記ゼオライト材と該ゼオライト材を収納する収納体とから成ることを特徴とする岩盤浴装置。
【請求項１０】
請求項１〜９いずれか１項に記載の岩盤浴装置において、前記加温部は、電熱ヒータ若しくは加熱流体が流通する管体を有するものであることを特徴とする岩盤浴装置。
【請求項１１】
請求項１０記載の岩盤浴装置において、前記加温部は、前記電熱ヒータ若しくは前記加熱流体が流通する管体が埋設され表面が前記ゼオライト部の裏面に添設される加温コンクリート部と、該加温コンクリート部の裏面に添設される断熱コンクリート部とで構成されていることを特徴とする岩盤浴装置。
【請求項１２】
請求項１１記載の岩盤浴装置において、前記加温部はパネル体であることを特徴とする岩盤浴装置。
【請求項１３】
請求項１〜１２いずれか１項に記載の岩盤浴装置を用いた岩盤浴システムであって、前記岩盤浴装置と、該岩盤浴装置のゼオライト部の表面と対向するように設けた遠赤外線放射体から成ることを特徴とする岩盤浴システム。
【請求項１４】
請求項１３記載の岩盤浴システムにおいて、前記遠赤外線放射体として、前記岩盤浴装置のゼオライト材から放射される遠赤外線を反射させる遠赤外線反射体が採用されていることを特徴とする岩盤浴システム。
【請求項１５】
請求項１３記載の岩盤浴システムにおいて、前記遠赤外線放射体として、ゼオライト材と、該ゼオライト材の裏面に設けられ該ゼオライト材を加温する加温部とから成るものが採用されていることを特徴とする岩盤浴システム。
【請求項１６】
請求項１３〜１５いずれか１項に記載の岩盤浴システムにおいて、前記遠赤外線放射体は、１つの前記岩盤浴装置毎に設けられていることを特徴とする岩盤浴システム。
【発明の詳細な説明】
【技術分野】
【０００１】
本発明は、岩盤浴装置及び岩盤浴システムに関するものである。
【背景技術】
【０００２】
岩盤浴装置としては、例えば特開２００４−１３００４７号公報（特許文献１）に開示されるようなものがある。
【０００３】
この特許文献１は、床面に敷設されるトルマリン鉱石を床暖房で加温するものであり、特許文献１によれば、トルマリン鉱石を加温することで該トルマリン鉱石から発生する遠赤外線及びマイナスイオンを利用して、遠赤外線による身体を内部から温め発汗を促す温熱効果と、マイナスイオンによるリラクゼーション効果とを得られるとされている。
【０００４】
また、岩盤浴に適する鉱石としては、トルマリン鉱石の他に、ブラックシリカ，北投石，天照石若しくは麦飯石などが知られている。
【０００５】
【特許文献１】特開２００４−１３００４７号公報
【発明の開示】
【発明が解決しようとする課題】
【０００６】
しかしながら、上記マイナスイオンによるリラクゼーション効果は明確に確認された訳ではなく、従来の鉱石は、単に高い遠赤外線放射率を有することを主眼に選定されているのが現状である。
【０００７】
本発明は、上述のような現状に鑑みなされたもので、従来の鉱石を用いた場合では得られないゼオライト特有の効果により、極めて快適に岩盤浴を行える実用性に秀れた岩盤浴装置及び岩盤浴システムを提供するものである。
【課題を解決するための手段】
【０００８】
添付図面を参照して本発明の要旨を説明する。
【０００９】
加温した際、遠赤外線放射作用を発揮する部位が設けられた岩盤浴装置であって、前記部位は、ゼオライト材１を有するゼオライト部２と、該ゼオライト部２を加温する加温部３とから成ることを特徴とする岩盤浴装置に係るものである。
【００１０】
また、請求項１記載の岩盤浴装置において、前記加温部３は、前記ゼオライト部２の裏面に添設されるものであることを特徴とする岩盤浴装置に係るものである。
【００１１】
また、請求項１，２いずれか１項に記載の岩盤浴装置において、前記ゼオライト材１として板状のものが採用されていることを特徴とする岩盤浴装置に係るものである。
【００１２】
また、請求項１，２いずれか１項に記載の岩盤浴装置において、前記ゼオライト材１として球状のものが採用されていることを特徴とする岩盤浴装置に係るものである。
【００１３】
また、請求項１〜４いずれか１項に記載の岩盤浴装置において、前記ゼオライト材１は、未焼成のゼオライト原石から成るものであることを特徴とする岩盤浴装置に係るものである。
【００１４】
また、請求項１〜４いずれか１項に記載の岩盤浴装置において、前記ゼオライト材１は、ゼオライト原石若しくはゼオライト粉末を８５０℃以下の温度で焼成して成るものであることを特徴とする岩盤浴装置に係るものである。
【００１５】
また、請求項６記載の岩盤浴装置において、前記ゼオライト材１は、ゼオライトに、銀，銅，亜鉛若しくは錫のうちの１種若しくは複数種のイオンが担持されているものであることを特徴とする岩盤浴装置に係るものである。
【００１６】
また、請求項１〜４いずれか１項に記載の岩盤浴装置において、前記ゼオライト材１は、ゼオライト原石若しくはゼオライト粉末を１０００℃以上の温度で焼成して成るものであることを特徴とする岩盤浴装置に係るものである。
【００１７】
また、請求項１〜８いずれか１項に記載の岩盤浴装置において、前記ゼオライト部２は、前記ゼオライト材１と該ゼオライト材１を収納する収納体４とから成ることを特徴とする岩盤浴装置に係るものである。
【００１８】
また、請求項１〜９いずれか１項に記載の岩盤浴装置において、前記加温部３は、電熱ヒータ５若しくは加熱流体が流通する管体を有するものであることを特徴とする岩盤浴装置に係るものである。
【００１９】
また、請求項１０記載の岩盤浴装置において、前記加温部３は、前記電熱ヒータ５若しくは前記加熱流体が流通する管体が埋設され表面が前記ゼオライト部２の裏面に添設される加温コンクリート部６と、該加温コンクリート部６の裏面に添設される断熱コンクリート部７とで構成されていることを特徴とする岩盤浴装置に係るものである。
【００２０】
また、請求項１１記載の岩盤浴装置において、前記加温部３はパネル体であることを特徴とする岩盤浴装置に係るものである。
【００２１】
また、請求項１〜１２いずれか１項に記載の岩盤浴装置を用いた岩盤浴システムであって、前記岩盤浴装置Ａと、該岩盤浴装置Ａのゼオライト部２の表面と対向するように設けた遠赤外線放射体Ｂから成ることを特徴とする岩盤浴システムに係るものである。
【００２２】
また、請求項１３記載の岩盤浴システムにおいて、前記遠赤外線放射体Ｂとして、前記岩盤浴装置Ａのゼオライト材１から放射される遠赤外線を反射させる遠赤外線反射体13が採用されていることを特徴とする岩盤浴システムに係るものである。
【００２３】
また、請求項１３記載の岩盤浴システムにおいて、前記遠赤外線放射体Ｂとして、ゼオライト材８と、該ゼオライト材８の裏面に設けられ該ゼオライト材８を加温する加温部９とから成るものが採用されていることを特徴とする岩盤浴システムに係るものである。
【００２４】
また、請求項１３〜１５いずれか１項に記載の岩盤浴システムにおいて、前記遠赤外線放射体Ｂは、１つの前記岩盤浴装置Ａ毎に設けられていることを特徴とする岩盤浴システムに係るものである。
【発明の効果】
【００２５】
本発明は、上述のように構成したから、従来の鉱石を用いた場合では得られないゼオライト特有の効果により、極めて快適に岩盤浴を行える実用性に秀れた岩盤浴装置及び岩盤浴システムとなる。
【発明を実施するための最良の形態】
【００２６】
好適と考える本発明の実施形態を、図面に基づいて本発明の作用を示して簡単に説明する。
【００２７】
ゼオライトとは、化学的に見るとアルカリ金属あるいはアルカリ土類金属を包含する含水アルミノケイ酸塩であり、結晶構造の中に微細な孔（細孔）を有するため、イオン交換機能，吸着機能，触媒機能などを持つ。この機能により、調湿，有機物の吸着・分解，ホルムアルデヒドの分解，防臭，ＮＯｘやＳＯｘの分解などの、所謂ゼオライト効果を発揮する。更に、副次効果として、軽量化，断熱などの効果を発揮する。また、高い遠赤外線放射率を有する。
【００２８】
従って、例えば床面10に敷設したゼオライト部２上に横臥すると共に該ゼオライト部２を加温部１により加温すると、ゼオライト部２のゼオライト材１により、従来の岩盤浴装置と同様に温熱効果を得られるのは勿論、岩盤浴の際の汗や臭いがゼオライトにより吸着され、また、カビの発生も防止され、快適な岩盤浴が可能となる。
【００２９】
ゼオライト原石若しくはゼオライト粉末を１０００℃以上の温度で焼成して成るゼオライト材１は、ゼオライトが溶融化して結晶性が失われ、上記ゼオライト効果は発揮しないが、高い遠赤外線放射率を有するのは勿論、非吸水性となることで、汗等が吸着されず、清掃が容易でべとつかないものとなる。また、強度や耐候性が高まり、耐熱・耐火性にも秀れ、耐久性に秀れる。更に、高温焼成により褐色化することで、原石の白色とは異なる趣を与える。
【００３０】
また、ゼオライト部２と加温部３とのユニット構造であるから、引用文献１のように床暖房等を用意する必要なく取付作業や交換作業を簡単に行える。
【実施例】
【００３１】
本発明の具体的な実施例について図面に基づいて説明する。
【００３２】
本実施例は、床面10に敷設され、加温した際、遠赤外線放射作用を発揮する部位が設けられた岩盤浴装置であって、前記部位は、ゼオライト材１及び該ゼオライト材１が収納される収納体４から成るゼオライト部２と、該ゼオライト部２の裏面に添設され前記ゼオライト材１を加温する加温部３とから成るものである。
【００３３】
各部を具体的に説明する。
【００３４】
ゼオライト、特に天然ゼオライトは、結晶性を有するゼオライト，結晶性を失ったゼオライトの区別なく、黒体に近い高い遠赤外線放射率を有する物質であり、特に育成光線の波長領域（４〜１４μｍ）において安定した遠赤外線放射率（８０％以上）が得られる物質である。
【００３５】
従って、ゼオライト材１としては、天然ゼオライト，人工ゼオライト若しくは合成ゼオライトのいずれから成るものであっても良いが、合成ゼオライトは高価であり、また、人工ゼオライトは焼成灰等から製造するため有害物質を含有しているおそれがあることから、天然ゼオライトから成るゼオライト材１を用いるのが好ましい。
【００３６】
天然ゼオライトから成るゼオライト材１は、焼成せずに天然ゼオライト原石を所定形状に切り出した状態で使用しても良いし、焼成した天然ゼオライト材１を使用しても良い。
【００３７】
尚、３００〜８５０℃の温度で焼成した場合には、セラミックス化して強度及び耐熱性が向上すると共に、ゼオライトは溶融化せず結晶性が失われないため、ゼオライト効果も発揮される。また、１０００℃以上の温度で焼成した場合には、ゼオライトが溶融化して結晶性が失われ、結晶性ゼオライトとは異なる非吸収性等が発揮される。
【００３８】
本実施例においては、未焼成の天然ゼオライト原石が採用されている。具体的には、天然ゼオライト原石を平面視方形状の板状にスライスしたものが採用されている。また、厚さは、０．５〜２０ｃｍ、加熱高率や岩盤浴の効用を鑑みると３〜１０ｃｍ程度とするのが好ましい。
【００３９】
尚、本実施例においては、図１，２に図示したようにゼオライト材１として天然ゼオライト原石を板状にスライスしたものが採用されているが、図３，４に図示したように球状（粒状）のものを採用しても良い。この場合、径は１〜３ｃｍ程度が好ましい。また、硬い方が好ましいため、焼成したものが好ましい。
【００４０】
また、ゼオライトに、銀，銅，亜鉛若しくは錫のうちの１種若しくは複数種のイオンを担持させると、結晶性ゼオライトが吸着した雑菌を殺菌する作用を発揮するため、これらを担持させる構成としても良い。
【００４１】
上記金属イオンを担持させる方法としては、例えば銀イオンの場合には、天然ゼオライト原石を常温で硝酸銀の溶液中に浸け込んでイオン交換することで行うことができる。
【００４２】
また、本実施例に炭化物（備長炭等の木炭，竹炭若しくは石炭などの燻煙炭または石炭，ヤシ殻若しくはオガクズから製造した活性炭）を添着せしめても良い。具体的には、接着材でゼオライト原石に接着したり（焼成前、焼成後どちらでも良い）、上記高温焼成の場合には、ゼオライト原石の表面に適量の炭素原料を振りかけてゼオライトが溶融した段階でゼオライト内部に溶け込むようにしたり、釉薬として表面に塗布したりして添着せしめることができる。尚、焼成の際に炭素が燃えないように、還元焼成若しくは酸化焼成では炉内を窒素雰囲気として行うのが好ましい。
【００４３】
この場合、上記炭化物が、遠赤外線放射率平準化効果，有害物質の吸着効果及びマイナスイオン効果を発揮することで、遠赤外線放射効果及びゼオライト効果と相俟って一層良好な遠赤外線放射効果及び有害物質除去効果を発揮できることになる。
【００４４】
尚、本実施例は上述のように天然ゼオライト石材から成るゼオライト材１を採用しているが、粉状化したゼオライト粉体から成るものを採用しても良い。
【００４５】
この場合、強度（引張強度及び靭性）を向上させるため、有機質若しくは無機質の繊維を混合して焼成すると良い（いずれか一方のみに限らず、有機質繊維及び無機質繊維の双方を混合しても良い。）。
【００４６】
有機質繊維としては、アラミド繊維，ビニロン繊維，ポリプロピレン繊維若しくはパルプ繊維（セルロース）等を採用すると良い。また、無機質繊維としては、炭素繊維，ガラス繊維若しくは鋼繊維等を採用すると良い。
【００４７】
上記繊維の混合割合は、ゼオライト粉体１００重量部（加水前）に対して１．０〜１０重量部とするのが好ましい。ゼオライト粉体に比し１％以下では強度向上に寄与しない。また、１０％以上では、繊維凝集物であるダマができやすく、混練作業の効率が悪くなり、材料の均一性が確保しにくくなるほか、主要材料のゼオライトの割合が少なくなり、遠赤外線効果・ゼオライト効果が相対的に低下する。
【００４８】
繊維の選定は、耐熱性，強度，経済性等の面から行うが、特に焼成温度が高い場合には、無機質繊維が好適となる。
【００４９】
上述のようにして形成したゼオライト材１を、収納体４としての枠体内に敷き詰める。具体的には、図１，２に図示したように板状のゼオライト材１をその上面が略同一平面上に位置するように（略平坦となるように）適宜な間隔で、これらのゼオライト材１の側周を囲む枠体内に並設配置する。また、段差がないようにこの枠体としては、高さがゼオライト材１の厚さと略同じものを採用する。尚、図中、符号16は、枕材である。
【００５０】
また、板状のゼオライト材１の大きさが異なる場合には、大きなゼオライト材１を配置した後、その隙間に小さなゼオライト材１を配置して残余の隙間にモルタル等の充填材18を充填する。
【００５１】
また、枠体の素材は、木材，鋼材若しくは樹脂系材等、どのようなものでも良いが、安価且つ軽量で自然的な風合を得られることから木材を採用すると良い。
【００５２】
また、枠体は、図１，２に図示したように板状でも良いし、ネット状（金網等）としてもよい。
【００５３】
尚、球状のゼオライト材１を用いる場合には、図３に図示したように枠体の中に仕切り12を設けるとゼオライト材１を固定し易い。
【００５４】
また、本実施例においては、ゼオライト材１を収納体４内に収納した構成としたが、収納体４を設けず、ゼオライト材１単独でゼオライト部２を構成しても良い。また、上記枠体は、ゼオライト材１の側周を囲む構成としているが、ゼオライト材１の底側をも囲むかご状に構成しても良い。この場合、ゼオライト材１をより確実に収納でき、また、加温部３との分離が容易となる。
【００５５】
加温部３は、電熱ヒータ５（導線）が埋設され表面が前記ゼオライト部２の裏面に添設される（ゼオライト部２の下方に設けられる）加温コンクリート部６と、該加温コンクリート部６の裏面に添設される（加温コンクリート部６の下方に設けられる）断熱コンクリート部７とで構成されている。断熱コンクリート部７は、骨材としてゼオライトを採用したり、コンクリートに樹脂系材料を混入させるなどして構成する。尚、電熱ヒータ５に限らず、熱水や熱風等の加熱流体が流通する管体を埋設する構成としても良い。また、コンクリートは現場打ちにしても良い。また、加温部３全体をパネル体としてプレキャスト製作しても良い。この加温部３により、ゼオライト部２（のゼオライト材１）を３５〜５０℃、好ましくは遠赤外線が良好に放射される４０〜４５℃に温めるように設定する。
【００５６】
本実施例においては、上述のように枠体とゼオライト材１との厚さは略同一であるから、ゼオライト部２の裏面にゼオライト材１が露出し、このゼオライト材１を加温コンクリート部６により直接加温できることになる。更に、この加温コンクリート部６の下方への放熱は、断熱コンクリート部７により遮断されるため、ゼオライト材１の加温高率は極めて高くなる。尚、断熱コンクリート部７の代わりに、図４に図示したように砂利17を敷き詰めることで断熱作用を発揮させるように構成しても良い。
【００５７】
また、加温部３は手動若しくは自動で適宜温度調整できるように構成する。具体的には、ゼオライト部２に温度センサを配置して自動調整するのが好ましい。尚、加温コンクリート部６の露出部には火傷防止や断熱のため適宜断熱材（図示省略）を設ける。
【００５８】
従って、床面10上に敷設された本実施例（岩盤浴装置Ａ）のゼオライト部２の上に横臥することで、ゼオライト部２の表面に露出するゼオライト材１と接触する横臥者の部位は該ゼオライト材１により直接加温され、接触しない部位は遠赤外線放射により加温され、身体全体が満遍なく温められる。
【００５９】
また、例えば、図５に図示したように、岩盤浴装置Ａのゼオライト部２の表面と対向するように遠赤外線放射体Ｂを設けて、遠赤外線放射システムを構成しても良い。具体的には、床面10に敷設された岩盤浴装置Ａの前後両端側を除く周囲を囲むように、該床面10に断面視逆Ｕ字状（アーチ形状）の遠赤外線放射体Ｂを設けても良い。尚、断面視逆Ｕ字状に限らず、図６に図示したように断面視コ字状（矩形状）としても良い。
【００６０】
この場合、岩盤浴装置Ａによる放射だけでなく、対向する遠赤外線放射体Ｂにからの遠赤外線も浴びることができ、岩盤浴装置Ａのゼオライト部２に横臥した身体の上方側及び側方側が一層良好に温められることになる。
【００６１】
遠赤外線放射体Ｂとしては、ゼオライト部２のゼオライト材１から放射される遠赤外線を反射させる遠赤外線反射体13を採用することができる。遠赤外線反射体13としては、鉄，アルミ，銅，合金等、遠赤外線を吸収しない金属を採用すると良い。具体的には、メッキや研磨等により鏡面加工を施したものやアルミ箔を採用すると良い。この場合、岩盤浴装置Ａとは別に電源等を設ける必要がなく、極めて効率的にゼオライト部２からの遠赤外線を身体に集めることが可能となる。尚、図中、符号14は、遠赤外線反射体13を保持する保持部材である。
【００６２】
また、図６に図示したように、ゼオライト材８と、該ゼオライト材８の裏面に設けられ該ゼオライト材８を加温する加温部９とから成るもの（即ち、本実施例と同様の構成）を採用しても良い。尚、図中、符号15は、遠赤外線放射体Ｂと床面10とを連結する連結部材である。
【００６３】
また、前記遠赤外線放射体Ｂは、図７に図示したように複数の岩盤浴装置Ａ毎に設ける構成としても良いし、図５，６に図示したように１つの岩盤浴装置Ａ毎に設ける構成としても良い。特に１つ毎に設けた場合には、個室で一層良好に遠赤外線を身体に集めることが可能となる。
【００６４】
尚、本実施例は、上述のように構成しているが、床面10に立設される周壁面や周壁面に連設される天井面に岩盤浴装置Ａを設ける構成としても良い（勿論これら岩盤浴装置Ａに遠赤外線放射体Ｂを設けても良い。）。この場合には、横臥ではなく起立状態で岩盤浴を行うことになる。
【００６５】
本実施例は上述のように構成したから、床面に敷設したゼオライト部上に横臥すると共に該ゼオライト部を加温部により加温すると、従来の岩盤浴装置と同様に温熱効果を得られるのは勿論、岩盤浴の際の汗や臭いがゼオライトにより吸着され、また、カビの発生も防止され、快適な岩盤浴が可能となる。
【００６６】
また、枠体内にゼオライト材を収納したゼオライト部と、コンクリート製のパネル体から成る加温部とのユニット構造であるから、取付作業や交換作業を極めて簡単に行える。また、引用文献１のように床暖房等を用意する必要なく室内にゼオライト部と加温部とを設けるだけで岩盤浴を行えることになる。
【００６７】
従って、本実施例は、従来の鉱石を用いた場合では得られないゼオライト特有の効果により、極めて快適に岩盤浴を行える実用性に秀れた岩盤浴装置となる。
【図面の簡単な説明】
【００６８】
【図１】本実施例の概略説明斜視図である。
【図２】本実施例の概略説明断面図である。
【図３】別例の概略説明斜視図である。
【図４】別例の概略説明斜視図である。
【図５】本実施例を用いた岩盤浴システムの概略説明断面図である。
【図６】本実施例を用いた岩盤浴システムの概略説明断面図である。
【図７】本実施例を用いた岩盤浴システムの概略説明図である。
【符号の説明】
【００６９】
１  ゼオライト材
２  ゼオライト部
３  加温部
４  収納体
５  電熱ヒータ
６  加温コンクリート部
７  断熱コンクリート部
８  ゼオライト材
９  加温部
13  遠赤外線反射体
Ａ  岩盤浴装置
Ｂ  遠赤外線放射体
【図１】
2007319404.tif 000003
【図２】
2007319404.tif 000004
【図３】
2007319404.tif 000005
【図４】
2007319404.tif 000006
【図５】
2007319404.tif 000007
【図６】
2007319404.tif 000008
【図７】
2007319404.tif 000009